(57)【要約】マグネットカードのようにカードの照会端末機に近接することなく決済を行うことができるだけでなく，比較的に低いコストでシステムを構築することができ，移動中にも決済可能な代金決済システムに関する。このような代金決済システムは，取引端末機と携帯用無線決済装置とからなり，取引端末機がブルートゥース通信網を通じて携帯用無線決済装置に支払を要求すると，携帯用無線決済装置が無線通信網を通じてサーバーに接続して決済処理を行う。このための携帯用無線決済装置は，前記取引端末機の無線通信手段と通信するための無線通信手段と，支払および入金ボタンと，キー入力部と，各種の情報を表示するための表示装置と，支払のための各種のデータを内蔵しており，無線通信手段を介して取引端末機から支払要求信号が受信されると，表示装置に表示し，キー入力部を介して選択された支払手段の支払情報を取引端末機に転送し，取引端末機から支払確認が要求されると，その内容を表示装置に表示すると共に，支払および入金ボタンが入力されると，支払確認信号が個別無線暗号化通信手段を介して取引端末機に転送されるように制御するコントローラと，を備える。
2005524181.tif 000002
【特許請求の範囲】
【請求項１】
各種取引で発生した費用を計算する取引端末機と，該取引端末機からの支払要求に応じて支払処理を行う携帯用無線決済装置とを備える代金決済システムにおいて：
前記取引端末機は，
商品，サービス購買，または通行料の代金決済を処理するように構成された端末機に設けられ，前記携帯用無線決済装置と無線で通信するための無線通信手段と；
取引内訳が含まれた支払要求信号を前記無線通信手段に伝送し，前記携帯用無線決済装置から支払情報を受信すると，支払手段を判別し，所定の手続きに従って処理するコントローラと；
を備え，
前記携帯用無線決済装置は，
前記取引端末機に備わる無線通信手段と通信する無線通信手段と；
支払および入金するためのボタンと；
キー入力部と，
各種の情報を表示するための表示装置と；
各種データを記憶しており，前記無線通信手段を介して前記取引端末機から支払要求信号を受信すると，前記表示装置に前記支払要求信号を表示するように制御し，前記キー入力部を介して選択された支払手段の支払情報を前記取引端末機に転送し，前記取引端末機から支払確認が要求されると，その内容を前記表示装置に表示するとともに，前記支払および入金ボタンが入力されると，支払確認信号を前記無線通信手段を介して前記取引端末機に転送するように制御するコントローラと；
を備えることを特徴とする，代金決済システム。
【請求項２】
前記携帯用無線決済装置は，
前記無線通信手段に連結してデータを処理するデータ信号処理部と；
データ信号処理部に連結し前記コントローラと取引端末機との間で個々のユーザの個別データを暗号化された状態で転送する暗号化データ信号処理部とを備え，
さらに付加的なデジタルＡＳＩＣ暗号化部は，正確な取引をするためだけでなくハッキングを防止するためにも備え付けられることを特徴とする，請求項１に記載の代金決済システム。
【請求項３】
前記携帯用無線決済装置は，
前記キー入力部を介してパスワードが設定および入力され，
ユーザを認証するための生体感知手段をさらに備えることを特徴とする，請求項１に記載の代金決済システム。
【請求項４】
前記無線通信手段は，
ブルートゥース通信モジュールまたは無線通信モジュールであることを特徴とする，請求項１に記載の代金決済システム。
【請求項５】
前記携帯用無線決済装置は，
予め決済代金を充填するための充填チップをさらに備え，
前記コントローラは，前記取引端末機から支払要求信号を受信し，前記充填チップに決済するに十分な金額が充填されていれば，前記充填チップの充填金額により決済が行われるように制御することを特徴とする，請求項１に記載の代金決済システム。
【請求項６】
前記携帯用無線決済装置は，
通信網を通じてサーバーと接続するための有線／無線通信モジュールをさらに備え，
前記コントローラは，前記充填チップの充填金額がなくなった場合，前記有線／無線通信モジュールを通じて前記サーバーに接続し，所定の金額を前記充填チップに充填するように制御することを特徴とする，請求項５に記載の代金決済システム。
【請求項７】
取引端末機と携帯用無線決済装置とを備える代金決済システムであって：
前記取引端末機は，
自動販売機，タクシー，バス，地下鉄，または高速道路通行料徴収システムのような商品購買または通行料の代金を支払うために構成された端末機に設けられるブルートゥース通信モジュールと；
前記ブルートゥース通信モジュールに注文信号を伝送し，支払要求信号を伝送するコントローラとを備え，
前記携帯用無線決済装置は，
前記取引端末機に設けられたブルートゥース通信モジュールと通信するブルートゥース通信モジュールと；
コントローラと；
前記ブルートゥース通信モジュールに伝送されたデータを前記コントローラに転送し，前記コントローラからの承認データを受信するデータ信号処理部と；
前記携帯用無線決済装置の承認番号およびユーザのカード番号のような情報が入力されることで，前記コントローラに前記情報を供給する，または前記情報を記憶するメモリと；
支払要求／支払承認信号を伝送するために前記コントローラに連結されると共に銀行サーバーから金額情報が転送され，その金額情報を充填する充填チップと；
前記充填チップおよび前記コントローラから支払承認を受けると，金額を支払い可能ととするために前記コントローラと接続する支払ボタンと；
前記承認金額または承認番号を少なくとも表示するように前記コントローラと接続する表示装置と；
を備えることを特徴とする，代金決済システム。
【発明の詳細な説明】
【技術分野】
【０００１】
本発明は，代金決済システムに関し，より詳しくは，マグネチック（ｍａｇｎｅｔｉｃ）方式のクレジットカードのようにカードの信用照会端末機にアクセスすることなく決済できると共に，比較的低いコストでシステムを構築することができ，移動中にも決済可能な代金決済システムに関する。
【背景技術】
【０００２】
一般に，クレジットカード代金を決済するためには，マグネチックカードの場合，信用照会端末機にカードを通過または近接させることでマグネチックテープに収められた情報を読み取って代金決済を行うようになる。即ち，信用照会端末機がマグネットテープに格納された情報を読んでクレジットカード社のサーバーに承認を求めると，カード社のサーバーから情報を読み出してチェックした後，承認情報を信用照会端末機に送信し，照会端末機は，これに基づいて決済を行い，領収証をプリントするようになる。
【０００３】
もちろん，前述のマグネチックテープに収められた情報は，最初クレジットカード社に加入する時に記載した各種の情報およびパスワードを含み，これに基づいて本人確認／承認要求をチェックするようになる。
【発明の開示】
【発明が解決しようとする課題】
【０００４】
しかしながら，マグネチックカードの決済システムは，ユーザが常にカードを所持した状態で，決済のためにカードを提示し，他人によりカードを信用照会端末機に通過させて承認を得る必要があるため，移動中にはカード決済ができないという問題点がある。即ち，マグネチックカードは，接触式であるため，使用のためには，照会端末機を備えた場所で，移動しない停止状態で決済を行う必要があり，マグネチックカードの使用用途が非常に制限的であるという問題点がある。
【０００５】
また，マグネチックカードやＩＣカードを使用するには，必ず照会端末機にカードを通過または接触させなければならないため，前述のマグネチックテープの損傷（磁気による損傷，物理的な磨耗など）が頻発に発生し，これによって，カードが使用できなくなり，カードを再発行する必要があるという問題点がある。
【０００６】
従って，本発明は，前述のような問題点を解決するためになされたものであって，本発明の目的は，カードの照会端末機にカードを接触することなく，比較的遠距離（ほぼ１００ｍ以上）でもカード決済できるだけでなく，移動中にも決済を行うことができる代金決済システムを提供することにある。
【課題を解決するための手段】
【０００７】
上記の目的を達成するための本発明は，各種の取引において代金支払要求に応じて携帯用無線決済装置が取引端末機を通じて代金支払を行うように構成された代金決済システムである。
【０００８】
前記取引端末機は，商品およびサービス購買または通行料などのような代金決済を処理するように構成された無線端末機に設けられ，携帯用無線決済装置と無線で通信するため暗号化された無線データとして支払要求信号が伝送され，携帯用無線決済装置から支払情報を受信すると，支払手段を判別して所定の手続きに従って処理するコントローラで構成されている。
【０００９】
前記携帯用無線決済装置は，取引端末機の無線通信手段と通信を行うための無線暗号化データ通信部と，支払および入金ボタン部と，キー入力部と，各種の情報を表示するための表示装置部と，支払のための各種の個別暗号化データ情報を内蔵しており，無線通信手段を介して取引端末機から支払要求信号を受信すると，ＬＣＤ表示装置にこれを表示し，キー入力部を介して選択された支払手段の支払情報を取引端末機に暗号化した無線データとして転送し，取引端末機から支払確認が要求されると，その内容を表示装置に表示すると共に，支払および入金ボタンが入力されると，支払確認信号が個別無線暗号化した無線通信手段を介して取引端末機に転送されるように制御するコントローラとで構成されることを特徴とする。
【発明を実施するための最良の形態】
【００１０】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００１１】
本発明に係る代金決済システムは，図１に示すように，銀行サーバー１０２とカード社サーバー１０４と，複数の携帯用無線決済装置１１０と，取引端末機１３０とを備え，携帯用無線決済装置１１０，銀行サーバー１０２，およびカード社サーバー１０４は，通信網１０６を介して接続し，携帯用無線決済装置１１０と取引端末機１３０とは，ブルートゥース網１０８を介して接続する。
【００１２】
図１を参照すると，銀行サーバー１０２やカード社サーバー１０４は，携帯用無線決済装置１１０や取引端末機１３０から決済要求信号が通信網１０６を通じて受信すると，認証を経て，正当な取引内容であれば，決済を承認した後，承認情報（例えば，承認番号，承認金額など）を携帯用無線決済装置１１０または取引端末機１３０に送信する。なお，通信網１０６は，有線通信網または無線通信網であって，有線／無線からなるインターネットを含むものである。
【００１３】
取引端末機１３０は，例えば，自動販売機，個人タクシー，バス，地下鉄，高速道通行料徴収システム，飲食店に設置される装置であって，携帯用無線決済装置１１０とブルートゥース（Ｂｌｕｅｔｏｏｔｈ）方式で通信するためのブルートゥース通信モジュール１３６を備え，取引の発生時にコントローラ１３２の制御に応じて取引内訳，加盟店番号などが含まれた支払要求信号１３４を携帯用無線決済装置１１０に転送して支払を要求し，携帯用無線決済装置１１０から支払情報を受信すると，取引端末機１３０は，これを処理する。このとき，クレジットカードによる支払である場合，通信網１０６を通じてクレジットカード社のサーバー１０２あるいは支払ゲートウェイＰ／Ｇ（図示せず。）に接続して取引承認を要求し，承認を得ると，さらに携帯用無線決済装置１１０に支払確認を要求した後，支払確認によって取引を完了する。このような取引端末機１３０は，既存のカードの照会端末機や金銭登録機などのような端末機にコントローラ１３２とブルートゥース通信モジュール１３６を付加して具現することもできる。本発明の実施の形態において，携帯用無線決済装置１１０と取引端末機１３０との間の通信をブルートゥース通信網１０８を挙げて説明しているが，他の無線通信網を適用することも可能である。
【００１４】
上記携帯用無線決済装置１１０は，図２に示すように，ブルートゥース通信モジュール１１１，データ信号処理部１１２，暗号処理部１１３，キー入力部１１４，支払および入金ボタン１１５，充填チップ１１６，有線／無線通信モジュール１１７，コントローラ１１８，ＬＣＤ１１９からなり，ブルートゥース通信モジュール１１１を通じて取引端末機１３０と通信を行うと共に有線／無線通信モジュール１１７を通じて銀行サーバー１０２，カード社サーバー１０４と通信を行うことができるようになっている。ここで，コントローラ１１８は，中央演算処理装置（ＣＰＵ）と，ＲＯＭ，ＲＡＭ，フラッシュメモリ，データ／パワーバスなどを備え，メモリに搭載されたソフトウェアを実行し，全体動作を制御する。前記携帯用無線決済装置１１０を個人が所持する場合，前記ブルートゥースの特性から，１００〜２００メートル程度の範囲で，無線通信が可能であるだけでなく，迅速な決済が可能になる。したがって，利用者は自動販売機などの場合，移動しない停止状態で決済を行うようになり，さらに高速道路通行料徴収システムの場合，移動中に決済を行うことも可能である。なお，前記携帯用無線決済装置１１０は，個人がクレジットカード発行を受ける時，クレジットカードと共にカード社からカード番号および別の認証番号（暗号化されている）を付与され，前記認証番号をもってカード社サーバー１０４と通信／認証を行うようになる。
【００１５】
図２を参照すると，ブルートゥース通信モジュール１１１は，取引端末機１３０に設けられたブルートゥース通信モジュール１３６と通信するためのものである。データ信号処理部１１２は，前記ブルートゥース通信モジュール１１１に転送されたデータをコントローラ１１８に転送する，またはコントローラ１１８から承認データを受信するものである。コントローラ１１８のメモリには，前記携帯用無線決済装置１１０の認証番号およびユーザのカード番号など，各種のデータが格納されている。
【００１６】
有線／無線通信モジュール１１７は，前記カード社サーバー１０４または銀行サーバー１０２と有線または無線のネットワーク網（例えば，インターネット網）を用いて接続するように設けられ，コントローラ１１８に承認情報などの情報を転送するものであり，支払および入金ボタン１１５は，前記有線／無線通信モジュール１１７を介して承認情報を受けると，金額支払を行うことができるようにコントローラ１１８に連結されている。
【００１７】
また，暗号処理部１１３は，前記データ信号処理部１１２とコントローラ１２０との間を接続している。また暗号処理部１１３は取引端末機１３０と携帯用無線決済装置１１０との間でデータを転送する場合や，携帯用無線決済装置１１０と銀行サーバー１０２，カード社サーバー１０４との間でデータを転送する場合に暗号化を行う。また，携帯用無線決済装置１１０の保安のためにユーザが任意に設定するパスワードや各種の操作を入力するためのキー入力部１１４が設けられている。有線／無線通信モジュール１１７には，円滑な無線通信を行うためのアンテナが設けられている。なお，図示していないが，ユーザ認証のため指紋認識手段や虹彩認識手段などを付加することができる。
【００１８】
ここで，パスワードは，他人が携帯用無線決済装置１１０を使用することができないように防止するためのもので，キー入力部１１４の数字ボタンを用いて設定および入力する。即ち，ユーザがキー入力部１１４の数字ボタンを押してコントローラ１１８にパスワードを設定すると，前記パスワードと同じ数字を押さなければ，コントローラ１１８がブルートゥース通信モジュール１１１を制御することができないようにすることで，パスワードを知らない他人は携帯用無線決済システム１１０を使用することができない。
【００１９】
また，前記コントローラ１１８に転送される各種の情報（例えば，承認要求，金額の承認要求など。）や，動作状態を表示するように小型の液晶表示装置１１９が設けられ，ユーザは，支払い承認をする前に，画面に表示された支払金額を確認した上で支払ボタン１１５を押すようになっている。
【００２０】
充填チップ１１６は，充填型カードにおいて使用される充填チップのように予め金額を充填する装置であって，コントローラ１１８に連結されている。充填チップ１１６に十分な金額が充填されていれば，取引端末機１３０から支払が要求される場合，カード社サーバー１０４に連結することなく独自に決済することができる。即ち，前記充填チップ１１６に銀行サーバー１０２から所定の金額を充填しておくと，前記充填チップ１１６に格納された金額分を支払／決済金額として使用可能になり，前記充填チップ１１６の格納金額がなくなると，再び銀行サーバー１０２から金額を充填することで，継続して使用することができる。
【００２１】
もちろん，前記充填チップ１１６は，決済手段として使用するだけでなく，Ｐ２Ｐ（Ｐｅｅｒ  ｔｏ  Ｐｅｅｒ）として使用することができるところ，携帯用無線決済装置１１０を所持した個人間の金融取引を行うことも可能となる。
【００２２】
このように構成される携帯用無線決済装置の動作を，図３を参照して説明すると，次の通りである。
【００２３】
自動販売機や交通手段などを利用する時に携帯用無線決済装置１１０を使用する場合，キー入力部１１４を用いてパスワードを入力する（ステップ３０１，３０２）。このようなパスワードは，ユーザが初期に設定することができ，パスワードを使用することで他人による携帯用無線決済装置１１０の不法使用を防止することができる。
【００２４】
コントローラ１１８は，新しく入力された番号が予め設定されたパスワードと一致すると，ブルートゥース通信モジュール１１１を動作させ，取引端末機１３０から支払要求信号を待つようになる（ステップ３０３，３０４）。
【００２５】
ブルートゥース通信モジュール１１１を介して取引端末機１３０から支払要求信号を受信すると，ＬＣＤ１１９に支払金額を表示し，キー入力部１１４を用いて支払手段を選択する（ステップ３０５〜３０７）。このとき，支払手段としては，クレジットカード，キャッシュカード，口座振込，充填チップ支払方式など，種々の方法があるが，本発明にかかる実施形態では，クレジットカードと充填チップを例にして説明する。なお，クレジットカードが多数ある場合，キー入力部１１４を用いて決済に使用するクレジットカードを選択することもできる。
【００２６】
ユーザがクレジットカードを選択すると，メモリに格納されたカード番号，認証番号などのクレジットカード決済に必要な情報を暗号処理部１１３で暗号化してブルートゥース通信モジュール１１１を通じて取引端末機１３０に送信する。充填チップ支払を選択する場合は，充填チップ１１６から支払を行うようになる（ステップ３０８〜３１０）。
【００２７】
次いで，決済処理を待ち，取引端末機１３０から支払確認信号を受信すると，支払確認の内容をＬＣＤ１１９に表示する（ステップ３１１〜３１３）。このとき，支払確認内容は，クレジットカードによる取引の場合，承認番号や承認金額などであり，その他，取引内訳などを含むことができる。
【００２８】
次に，ユーザが支払および入金ボタン１１５を押すと，暗号化処理部１１３，データ信号処理部１１２，およびブルートゥース通信モジュール１１１を通じて取引端末機１３０に支払確認信号を送信する（ステップ３１４，３１５）。支払および入金ボタン３１５を押していない状態では取引を取り消すことができる（ステップ３１６）。なお，別の取引取消キーをキー入力部１１４に設けることもできる。取引端末機１３０は，携帯用無線決済装置１１０から支払確認信号が受信されると，当該取引を行い，取引に伴う手続きを取る。
【００２９】
図４は，図１に示された取引端末機の動作を示すフローチャートである。
【００３０】
図４を参照すると，自動販売機の場合は，ユーザが希望の商品を選択することで取引内訳を入力し，飲食店などの場合は，店員が注文内訳を入力することで取引内訳が入力される（ステップ４０１）。
【００３１】
次に，取引内容に応じて金額などを含む支払要求信号をブルートゥース通信モジュール１３６を通じて携帯用無線決済装置１１０に転送した後，携帯用無線決済装置１１０から支払情報の受信を待つ（ステップ４０２，４０３）。
【００３２】
次いで，携帯用無線決済装置１１０から支払情報を受信すると，その内容を把握して決済手段を判別する（ステップ４０４，４０５）。支払手段がクレジットカードの場合は，当該カード社サーバー１０４に接続して携帯用無線決済装置１１０から伝達されたカード番号および認証番号に取引内訳（金額，加盟店番号など）を含めた決済情報を転送し，認証および決済を要求する（ステップ４０７，４０８）。これによって，カード社サーバー１０４は，認証および取引内訳を確認した後，承認または拒否をする。
【００３３】
取引が承認され，カード社サーバー１０４から承認情報（承認番号，承認金額など）を受信すると，取引端末機１３０は，これをさらに携帯用無線決済装置１１０に転送して支払確認を要求する（ステップ４１０）。これによって，携帯用無線決済装置１１０は，支払確認情報を受信してその内容をＬＣＤ１１９に表示し，ユーザは，その内容を見て支払うかどうかを決定する。
【００３４】
次いで，取引端末機１３０は，携帯用無線決済装置１１０から支払確認信号が受信されると，取引を完成し，また，支払確認信号を受信せずに取引取消信号を受信すると，取引を取り消す（ステップ４１１〜４１３）。
【００３５】
なお，ステップ４０５で支払手段を判別した結果，携帯用無線決済装置１１０から充填チップによる支払である場合は，所定の充填チップ支払処理手続きに従って処理を行う（ステップ４０６）。
【００３６】
図５は，本発明の実施の形態に係る代金決済システムにおいてクレジットカードを用いた決済手続きを示すフローチャートである。
【００３７】
取引端末機１３０は，取引内訳によって携帯用無線決済装置１１０に支払要求信号を転送する。携帯用無線決済装置１１０は，支払要求信号に含まれた金額を表示し，これにより，ユーザは，支払手段を選択する。例えば，クレジットカードによる支払の場合，キー入力部１１４において“丸１”ボタンを押し，充填チップ（先払い方式）による支払の場合は“丸２”ボタンを押す。
【００３８】
支払手段としてクレジットカードを選択すると，携帯用無線決済装置１１０は，予め内蔵されたカード番号，認証番号などの，決済に必要な情報を暗号化した後，ブルートゥース通信モジュール１１１を通じて取引端末機１３０に転送する。
【００３９】
これにより，取引端末機１３０は，カード番号，認証番号に取引内訳，加盟店番号などを付加して決済要求信号をカード社サーバー１０４に転送する。カード社サーバー１０４は，受信した決済情報に基づいて認証および決済処理を行い，正当な取引であれば，承認番号，承認金額などの承認情報を取引端末機１３０に転送し，取引端末機１３０は，これに基づいて携帯用無線決済装置１１０に支払確認を要求する。なお，支払確認要求の際には，承認番号，承認金額などの承認情報を含めて転送する。ユーザは，最終的に承認番号および金額を確認した後，支払および入金ボタン１１５を押すことで支払を承認する。
【００４０】
（１．自動販売機に適用した例）
上述のような携帯用無線決済装置１１０を用いて自動販売機に取引端末機１３０が設置された場合の動作例を説明すると，次の通りである。
【００４１】
所定のカード社と提携した携帯用無線決済装置１１０をユーザが所持している状態で，自動販売機から所定の物品を購買するため，前記自動販売機の物品選択ボタンを押す。
【００４２】
物品選択ボタンが押されると，注文信号がコントローラ１３２に伝達され，これによって，コントローラ１３２は，ブルートゥース通信モジュール１３６を通じて携帯用無線決済装置のブルートゥース通信モジュール１１１に支払要求信号を転送する。
【００４３】
ブルートゥース通信モジュール１１１に支払要求信号が転送されると，これは，データ信号処理部１１２および暗号処理部１１３を介してコントローラ１１８に転送される。
【００４４】
このとき，前記取引端末機１３０のコントローラ１３２は，ユーザが選択した物品の金額情報を送信し，この金額は，携帯用無線決済装置のコントローラ１１８により液晶表示装置（ＬＣＤ）１１９に表示される。このような状態で，ユーザは，支払手段を選択する。
【００４５】
支払手段としてクレジットカードを選択すると，前記コントローラ１１８は，予め格納されたカード番号と認証番号を暗号処理部１１３で暗号化してデータ信号処理部１１２とブルートゥース通信モジュール１１１を通じて取引端末機１３０に転送し，取引端末機１３０は，有線または無線通信モジュール（図示省略）を通じて通信網１０６を用いてカード社サーバー１０４に接続した後，決済を要求する。
【００４６】
カード社サーバー１０４で認証および処理がなされ，有線または無線通信モジュール（図示省略）を通じて承認番号および承認金額を受信すると，取引端末機１３０は，これをさらに携帯用無線決済装置１１０に転送し，支払確認を要求する。
【００４７】
ユーザは受信した承認情報を確認した上で，支払のために支払ボタン１１５を押すと，暗号処理部１１３およびデータ信号処理部１１２を経てブルートゥース通信モジュール１１１が取引端末機１３０のブルートゥース通信モジュール１３６に支払確認情報を送信し，これにより，取引端末機１３０に設けられたコントローラ１３２が自動販売機のメカニズムを動作させることで，物品が提供される。
【００４８】
（２．飲食店での取引の例）
前項の自動販売機による決済過程を述べたが，飲食店などにおいて別のカード照会端末機が設置されている場合においても同様である。先ず，飲食店のカードの信用照会端末機にブルートゥース通信モジュール１３６および決済要求信号または注文信号を携帯用無線決済装置に送信可能なコントローラ１３２などを設置する。
【００４９】
この状態で，飲食店の店員などが決済金額をタイプしてコントローラ１３２およびブルートゥース通信モジュール１３６を通じて携帯用無線決済装置１１０に送信すると，前述の自動販売機の例と同様なフローに沿って携帯用無線決済装置１１０に承認情報が示されるようになり，ユーザが前記支払ボタン１１５を押すと，決済が行われる。
【００５０】
（３．高速道路通行料徴収システムの例）
前述のような代金決済システムの重要な使用用途である移動中の決済過程については，図６に示すように，高速道路通行料徴収システムを例にして説明する。
【００５１】
図６を参照すると，高速道路通行料徴収システムは，高速道路に進入する入口側および高速道路から出る出口側に位置した料金所Ｔと，前記料金所Ｔに設けられたサブコンピュータＳＵＢおよびサブコンピュータＳＵＢと連結するブルートゥース通信モジュール１−１〜ブルートゥース通信モジュール１−ｎと，サブコンピュータＳＵＢを中央集中方式で連結する道路公団のメインコンピュータ６１０と，メインコンピュータ６１０と有線／無線通信網６２０を介して連結する各種の金融機関サーバー６３０とからなる。また，道路を走行する車両には，本発明の実施の形態に係る携帯用無線決済装置１１０が搭載されている。
【００５２】
特に，前記サブコンピュータＳＵＢには，車両が料金所Ｔに進入する前に予め車両の進入を検出してサブコンピュータＳＵＢに送信することで，承認要求，決済などの作業が容易に行われるように，別のブルートゥース通信モジュール１−ｎが料金所Ｔから比較的遠く離れた場所に設けられている。即ち，車両が料金所Ｔに所定の速度で進入すると，ブルートゥース通信モジュール１−１，ブルートゥース通信モジュール１−ｎで即時通信を行いながら処理し，ユーザが支払いボタン１１５を押すと，非常に迅速に決済が行われるところ，前記別のブルートゥース通信モジュール１−ｎが車両に搭乗したユーザの携帯用決済装置１１０と予め通信して決済承認要求および支払承認信号を伝送すると，ユーザが料金所Ｔを通過する時に支払ボタン１１５を押すことで，時間の遅延を発生することなく容易に決済を行うことができる。
【００５３】
例えば，本発明の実施の形態に係る携帯用無線決済装置１１０を備えた車両が高速道路の入口側料金所Ｔに進入する場合，車両の進入情報が入口側料金所Ｔのブルートゥース通信モジュール１−１〜ブルートゥース通信モジュール１−ｎとサブコンピュータＳＵＢに伝達され，この情報は，道路公団のメインコンピュータ６１０に報告されてモニタリングされ，車両が高速道路から出るため出口側料金所Ｔに進入すると，その間の走行情報により料金が自動に算出されると共に，出口側料金所ＴのサブコンピュータＳＵＢは，ブルートゥース通信モジュール１−１〜ブルートゥース通信モジュール１−ｎを介して当該携帯用無線決済装置１１０に支払を要求するようになる。前述の手続きに従ってユーザが支払手段を選択すると，その支払情報がサブコンピュータＳＵＢに伝達され，サブコンピュータＳＵＢは，メインコンピュータ６１０と有線／無線通信網６２０を通じて金融機関サーバー６３０に決済を要求する。この後の決済過程は，前述と同様であるため，詳細な説明は，省略する。
【産業上の利用可能性】
【００５４】
以上のような本発明は，自動販売機，バス，タクシーなどの交通料金支払システム，高速道路通行料徴収システムなどの各種の商取引の決済手段として使用することが可能である。即ち，本発明は，ブルートゥース通信モジュールが設けられると共にカード社サーバーおよび銀行サーバーと無線通信可能な有線／無線通信モジュールが設けられる，決済を行うための携帯用無線決済装置と，この携帯用無線決済装置のブルートゥース通信モジュールと通信するようにブルートゥース通信モジュールが設けられた端末機とを設置することにより，停止中でも移動中でも非接触式で代金を決済することが可能である。
【図面の簡単な説明】
【００５５】
【図１】本発明に係る代金決済システムを示す概略図である。
【図２】図１に示した携帯用無線決済装置の構成を示すブロック図である。
【図３】図２に示した携帯用無線決済装置の動作を示すフローチャートである。
【図４】図１に示した取引端末機の動作を示すフローチャートである。
【図５】本発明の実施の形態に係る代金決済システムにおいてクレジットカード決済の手続きを示すフローチャートである。
【図６】本発明の実施の形態に係る代金決済システムを適用した高速道路通行料徴収システムを示す概略図である。
【図１】
2005524181.tif 000003
【図２】
2005524181.tif 000004
【図３】
2005524181.tif 000005
【図４】
2005524181.tif 000006
【図５】
2005524181.tif 000007
【図６】
2005524181.tif 000008
【手続補正書】
【提出日】平成16年5月25日(2004.5.25)
【手続補正１】
【補正対象書類名】特許請求の範囲
【補正対象項目名】全文
【補正方法】変更
【補正の内容】
【特許請求の範囲】
【請求項１】
各種取引で発生した費用を計算する取引端末機と，該取引端末機からの支払要求に応じて支払処理を行う携帯用無線決済装置とを備える代金決済システムにおいて：
前記取引端末機は，
商品，サービス購買，または通行料の代金決済を処理するように構成された端末機に設けられ，前記携帯用無線決済装置と無線で通信するための無線通信手段と；
取引内訳が含まれた支払要求信号を前記無線通信手段に伝送し，前記携帯用無線決済装置から支払情報を受信すると，支払手段を判別し，所定の手続きに従って処理するコントローラと；
を備え，
前記携帯用無線決済装置は，
前記取引端末機に備わる無線通信手段と通信する無線通信手段と；
支払および入金するためのボタンと；
キー入力部と，
各種の情報を表示するための表示装置と；
決済金額を充填するための充填チップと；
通信網を通じて充填サーバーと接続し，前記充填チップに金額を充填させるための有線／無線通信モジュールと；
各種データを記憶しており，前記無線通信手段を介して前記取引端末機から支払要求信号を受信すると，前記表示装置に前記支払要求信号を表示するように制御し，前記キー入力部を介して選択された支払手段の支払情報を前記取引端末機に転送し，前記取引端末機から支払確認が要求されると，その内容を前記表示装置に表示するとともに，前記支払および入金ボタンが入力されると，支払確認信号を前記無線通信手段を介して前記取引端末機に転送するように制御するが，
前記取引端末機から支払要求信号を受信し，前記充填チップに決済するに十分な金額が充填されていれば，前記充填チップの充填金額により決済が行われるように制御し，前記充填チップの充填金額がなくなった場合，前記有線／無線通信モジュールを通じて前記サーバーに接続し，所定の金額を前記充填チップに充填するように制御するコントローラと；
を備えることを特徴とする，代金決済システム。
【請求項２】
前記携帯用無線決済装置は，
前記無線通信手段に連結してデータを処理するデータ信号処理部と；
データ信号処理部に連結し前記コントローラと取引端末機との間で個々のユーザの個別データを暗号化された状態で転送する暗号化データ信号処理部とを備え，
さらに付加的なデジタルＡＳＩＣ暗号化部は，正確な取引をするためだけでなくハッキングを防止するためにも備え付けられることを特徴とする，請求項１に記載の代金決済システム。
【請求項３】
前記携帯用無線決済装置は，
前記キー入力部を介してパスワードが設定および入力され，
ユーザを認証するための生体感知手段をさらに備えることを特徴とする，請求項１に記載の代金決済システム。
【請求項４】
前記無線通信手段は，
ブルートゥース通信モジュールまたは無線通信モジュールであることを特徴とする，請求項１に記載の代金決済システム。
【請求項５】
取引端末機と携帯用無線決済装置とを備える代金決済システムであって：
前記取引端末機は，
自動販売機，タクシー，バス，地下鉄，または高速道路通行料徴収システムのような商品購買または通行料の代金を支払うために構成された端末機に設けられるブルートゥース通信モジュールと；
前記ブルートゥース通信モジュールに注文信号を伝送し，支払要求信号を伝送するコントローラとを備え，
前記携帯用無線決済装置は，
前記取引端末機に設けられたブルートゥース通信モジュールと通信するブルートゥース通信モジュールと；
コントローラと；
前記ブルートゥース通信モジュールに伝送されたデータを前記コントローラに転送し，前記コントローラからの承認データを受信するデータ信号処理部と；
前記携帯用無線決済装置の承認番号およびユーザのカード番号のような情報が入力されることで，前記コントローラに前記情報を供給する，または前記情報を記憶するメモリと；
支払要求／支払承認信号を伝送するために前記コントローラに連結されると共に銀行サーバーから金額情報が転送され，その金額情報を充填する充填チップと；
前記充填チップおよび前記コントローラから支払承認を受けると，金額を支払い可能ととするために前記コントローラと接続する支払ボタンと；
前記承認金額または承認番号を少なくとも表示するように前記コントローラと接続する表示装置と；
を備えることを特徴とする，代金決済システム。
【国際調査報告】
2005524181.tif 000009